(57)【要約】  【課題】既存の照明器具に簡単にセットでき、必要に応じて携帯可能な非常灯や誘導灯を構成することができるようにした非常時ＬＥＤ灯を提供する。  【解決手段】２本のアーム部１２で照明灯ランプ管５０を着脱可能に挟持させ、２本のアーム部を照明灯ランプ管に抱きつかせ、照明灯リフレクタ５１に着脱可能に磁着されることによって、照明灯ランプ管又は照明灯リフレクタに着脱可能に取付けられる携帯可能なベース１０と、ベースに照明灯ランプ管に対面するように設けられるソーラパネル１３と、ベースに設けられ、充電された充電池２１又はコンデンサを電源として点灯するＬＥＤ１４と、ベースに内蔵され、ソーラパネルの起電力を電源として充電池又はコンデンサを充電する一方、電源から照明灯への通電が遮断され又は照明灯が消灯したときにＬＥＤを充電池又はコンデンサの放電定数によって決まる時間だけ時限点灯させる通電回路２０と、を備える。【選択図】図３
2015232992.tif 000002
【特許請求の範囲】
【請求項１】
照明灯の点灯時に照明灯の光を受けて充電し、照明灯への通電が遮断されたときに充電した電力によって時限点灯して携帯可能な非常灯又は誘導灯を構成するようにした非常時ＬＥＤ灯において、
２本のアーム部（１２）で照明灯ランプ管（５０）を着脱可能に挟持させるか、２本のアーム部（１２）の先端部分を相互に着脱可能に係合させて該２本のアーム部（１２）を照明灯ランプ管（５０）に抱きつかせるか、あるいは照明灯リフレクタ（５１）に着脱可能に磁着されることによって、照明灯ランプ管（５０）又は照明灯リフレクタ（５１）に着脱可能に取付けられる携帯可能なベース（１０）と、
該ベース（１０）に照明灯ランプ管（５０）に対面するように設けられ、照明灯の光を受光して発電するソーラパネル（１３）と、
上記ベース（１０）に設けられ、充電された充電池（２１）又はコンデンサを電源として点灯するＬＥＤ（１４）と、
上記ベース（１０）に内蔵され、上記ソーラパネル（１３）の起電力を電源として充電池（２１）又はコンデンサを充電する一方、電源から照明灯への通電が遮断され又は照明灯が消灯したときに上記ＬＥＤ（１４）を充電池（２１）又はコンデンサの放電定数によって決まる時間だけ時限点灯させる通電回路（２０）と、
を備えたことを特徴とする非常時ＬＥＤ灯。
【請求項２】
照明灯の点灯時に照明灯の光を受けて充電する一方、充電した電力によって時限点灯して誘導灯を構成するようにした非常時ＬＥＤ灯において、
逆Ｕ字状の抱持部（１２’）に照明灯ランプ管（５０）を挿通させるか、照明灯リフレクタ（５１）に磁着されるか、又は照明灯前面カバー（５２）に接着又は粘着されることによって、照明灯ランプ管（５０）、照明灯リフレクタ（５１）又は照明灯前面カバー（５２）に取付けられるベース（１１、１１’、１１”）と、
該ベース（１１、１１’、１１”）に照明灯ランプ管（５０）に対面するように設けられ、照明灯の光を受光して発電するソーラパネル（１３）と、
上記ベース（１１、１１’、１１”）に設けられ、充電された上記充電池（２１）又はコンデンサを電源として点灯するＬＥＤ（１４）と、
上記ベース（１１、１１’、１１”）に内蔵され、上記ソーラパネル（１３）の起電力を電源として充電池（２１）又はコンデンサを充電するとともに上記ＬＥＤ（１４）を点灯させる一方、充電池（２１）又はコンデンサへの充電が停止した後は充電池（２１）又はコンデンサの放電定数によって決まる時間だけ上記ＬＥＤ（１４）を時限点灯させる通電回路（２０）と、
を備えたことを特徴とする非常時ＬＥＤ灯。
【請求項３】
上記ＬＥＤ（１４）は、上記ベース（１１’、１１”）に対して着脱可能なＬＥＤ灯（１４’、１４”）を構成している請求項２記載の非常時ＬＥＤ灯。
【請求項４】
上記充電池（２１）又はコンデンサの充電電圧を基準電圧と比較し、充電電圧が基準電圧に達したときに上記通電回路（２０）による充電を停止させる充電制御回路（２１）を、さらに備えた請求項１又は２記載の非常時ＬＥＤ灯。
【請求項５】
高輝度ランプ管を傘に内蔵した構造の高輝度放電灯の点灯時に高輝度放電灯の光を受けて充電し、高輝度放電灯への通電が遮断され又は高輝度放電灯が消灯したときに、上記充電した電力によって時限点灯して携帯可能な非常灯又は誘導灯を構成するようにした非常時ＬＥＤ灯であって、
少なくとも３本の吊り具（７０）の係止手段（７１）を高輝度放電灯（６０）の傘（６１）に着脱可能に係止することによって、高輝度ランプ管（６２）から５０°Ｃ以下の温度領域に着脱可能に吊り下げられる携帯可能なベースと、
該ベースに高輝度ランプ管（６２）に対面するように設けられ、高輝度ランプ管（６２）の光を受光して発電するソーラパネルと、
上記ベースに設けられ、充電された上記充電池又はコンデンサを電源として点灯するＬＥＤと、
上記ベースに内蔵され、上記ソーラパネルの起電力を電源として充電池又はコンデンサを充電する一方、電源から高輝度放電灯（６０）への通電が遮断され又は高輝度放電灯（６０）が消灯したときに上記ＬＥＤを充電池又はコンデンサの放電定数によって決まる時間だけ時限点灯させる通電回路と、を備えたことを特徴とする非常時ＬＥＤ灯。
【請求項６】
ランプ管に傘を設けた構造の高輝度放電灯型照明灯の点灯時に照明灯の光を受けて充電し、照明灯への通電が遮断され又は照明灯が消灯したときに、上記充電した電力によって時限点灯して携帯可能な非常灯又は誘導灯を構成するようにした非常時ＬＥＤ灯であって、
少なくとも３本の吊り具（７０）の係止手段（７１）を照明灯（８０）の傘（８１）に着脱可能に係止することによって、照明灯（８０）の傘（８１）に着脱可能に吊り下げられる携帯可能なベースと、
該ベースに照明灯ランプ管（８２）に対面するように設けられ、照明灯ランプ管（８２）の光を受光して発電するソーラパネルと、
上記ベースに設けられ、充電された上記充電池又はコンデンサを電源として点灯するＬＥＤと、
上記ベースに内蔵され、上記ソーラパネルの起電力を電源として充電池又はコンデンサを充電する一方、電源から照明灯（８０）への通電が遮断され又は照明灯（８０）が消灯したときに上記ＬＥＤを充電池又はコンデンサの放電定数によって決まる時間だけ時限点灯させる通電回路と、を備えたことを特徴とする非常時ＬＥＤ灯。
【発明の詳細な説明】
【技術分野】
【０００１】
本発明は非常時ＬＥＤ灯に関し、特に既存の照明器具に簡単にセットでき、必要に応じて携帯可能な非常灯や誘導灯を構成することができるようにしたＬＥＤ灯に関する。
【背景技術】
【０００２】
ビルディング、ホテル、工場、地下街などでは照明器具のスイッチをＯＦＦにしても一定時間点灯（時限点灯）させ、あるいは照明器具が消灯しても非常灯や誘導灯を一定時間点灯させることが求められている。
【０００３】
そこで、商用電源を整流しあるいは照明の光を受けたソーラパネルの起電力をコンデンサや充電池に充電し、照明器具のスイッチがＯＦＦされたときにコンデンサや充電池から照明器具に通電して時限点灯させ、あるいは照明器具が消灯したときにコンデンサや充電池から非常灯や誘導灯に通電して時限点灯させることが行われている（特許文献１、特許文献２、特許文献３、特許文献４）。
【先行技術文献】
【特許文献】
【０００４】
【特許文献１】特開２００８−１９２５９１号公報
【特許文献２】特開２００６−０１２６７４号公報
【特許文献３】特開２０１０−７３３３４号公報
【特許文献４】特開２０１１−１９８７３５号公報
【発明の開示】
【発明が解決しようとする課題】
【０００５】
しかし、特許文献１〜４記載の時限点灯装置では照明器具の製造時に予め組み込まれる必要があり、既存の照明器具に簡単に設置することは難しかった。
【０００６】
本発明はかかる問題点に鑑み、既存の照明器具の所望の箇所に簡単に設置することができるようにした非常時ＬＥＤ灯を提供することを課題とする。
【課題を解決するための手段】
【０００７】
そこで、本発明に係る非常時ＬＥＤ灯は、照明灯の点灯時に照明灯の光を受けて充電し、照明灯への通電が遮断され又は照明灯が消灯したときに、上記充電した電力によって時限点灯して携帯可能な非常灯又は誘導灯を構成するようにした非常時ＬＥＤ灯において、２本のアーム部で照明灯ランプ管を着脱可能に挟持させるか、２本のアーム部の先端部分を相互に着脱可能に係合させて該２本のアーム部を照明灯ランプ管に抱きつかせるか、あるいは照明灯リフレクタに着脱可能に磁着されることによって、照明灯ランプ管又は照明灯リフレクタに着脱可能に取付けられる携帯可能なベースと、該ベースに照明灯ランプ管に対面するように設けられ、照明灯の光を受光して発電するソーラパネルと、上記ベースに設けられ、充電された上記充電池又はコンデンサを電源として点灯するＬＥＤと、上記ベースに内蔵され、上記ソーラパネルの起電力を電源として充電池又はコンデンサを充電する一方、電源から照明灯への通電が遮断され又は照明灯が消灯したときに上記ＬＥＤを充電池又はコンデンサの放電定数によって決まる時間だけ時限点灯させる通電回路と、を備えたことを特徴とする。
【０００８】
本発明の特徴の１つはベースに取付けられた２本のアーム部で照明灯ランプ管を着脱可能に挟持させるか、２本のアーム部の先端部分を相互に着脱可能に係合させて照明灯ランプ管に抱きつかせるか、照明灯リフレクタに着脱可能に磁着することによって、ＬＥＤ灯を照明灯ランプ管や照明灯リフレクタに着脱自在に取付けるようにした点にある。
【０００９】
これにより、ＬＥＤ灯を既存の照明灯ランプ管に吊り下げ、リフレクタに磁着することによって、照明器具の所望の箇所に簡単に設置することができる。
【００１０】
また、アーム部を照明灯ランプ管から取り外すか、照明灯リフレクタへの磁着を外すことによって、ＬＥＤ灯を簡単に取り外して時限点灯させながら持ち運ぶことができ、使い勝手のよい非常灯や誘導灯を得ることができる。
【００１１】
また、ＬＥＤ灯を既存の照明灯ランプ管やリフレクタに取付けたままで、照明灯の光によって充電池やコンデンサを充電するとともにＬＥＤを点灯させる一方、充電が停止したときは時限点灯させることによって、誘導灯として利用することもできる。
【００１２】
即ち、本発明に係る非常時ＬＥＤ灯は、照明灯の点灯時に照明灯の光を受けて充電する一方、充電した電力によって時限点灯して誘導灯を構成するようにした非常時ＬＥＤ灯において、逆Ｕ字状の抱持部に照明灯ランプ管を挿通させるか、照明灯リフレクタに磁着されるか、又は照明灯前面カバーに接着又は粘着されることによって、照明灯ランプ管、照明灯リフレクタ又は照明灯前面カバーに取付けられるベースと、該ベースに照明灯ランプ管に対面するように設けられ、照明灯の光を受光して発電するソーラパネルと、上記ベースに設けられ、充電された上記充電池又はコンデンサを電源として点灯するＬＥＤと、上記ベースに内蔵され、上記ソーラパネルの起電力を電源として充電池又はコンデンサを充電するとともに上記ＬＥＤを点灯させる一方、充電池又はコンデンサへの充電が停止した後は充電池又はコンデンサの放電定数によって決まる時間だけ上記ＬＥＤを時限点灯させる通電回路と、を備えたことを特徴とする。
【００１３】
ここで、ＬＥＤをベースに対して着脱可能なＬＥＤ灯を構成すると、携帯式の誘導灯として利用することができる。
【００１４】
充電池又はコンデンサへの充電を長時間継続すると、充電池又はコンデンサが過充電され、動作の信頼性が損なわれるおそれがある。そこで、充電池又はコンデンサの充電電圧が基準電圧に達したときに充電を停止させるようにすると、充電池又はコンデンサが過充電されることはなく、動作信頼性を高めることができる。
【００１５】
また、本発明に係る非常時ＬＥＤ灯は高輝度ランプ管を傘に内蔵した構造を有し、屋外照明等に利用される高輝度放電灯、例えば水銀灯、メタルハライドランプあるいはナトリウムランプの傘に取付けて使用することもできる。即ち、本発明に係る非常時ＬＥＤ灯は、高輝度ランプ管を傘に内蔵した構造の高輝度放電灯の点灯時に高輝度放電灯の光を受けて充電し、高輝度放電灯への通電が遮断され又は高輝度放電灯が消灯したときに、上記充電した電力によって時限点灯して携帯可能な非常灯又は誘導灯を構成するようにした非常時ＬＥＤ灯であって、少なくとも３本の吊り具の係止手段を高輝度放電灯の傘に着脱可能に係止することによって、高輝度ランプ管から５０°Ｃ以下の温度領域に着脱可能に吊り下げられる携帯可能なベースと、該ベースに高輝度ランプ管に対面するように設けられ、高輝度ランプ管の光を受光して発電するソーラパネルと、上記ベースに設けられ、充電された上記充電池又はコンデンサを電源として点灯するＬＥＤと、上記ベースに内蔵され、上記ソーラパネルの起電力を電源として充電池又はコンデンサを充電する一方、電源から高輝度放電灯への通電が遮断され又は高輝度放電灯が消灯したときに上記ＬＥＤを充電池又はコンデンサの放電定数によって決まる時間だけ時限点灯させる通電回路と、を備えたことを特徴とする。
【００１６】
また、上記の吊り下げタイプの非常時ＬＥＤ灯は水銀灯型ＬＥＤ灯に適用することもできる。即ち、本発明に係る非常時ＬＥＤ灯は、ランプ管に傘を設けた構造の高輝度放電灯型の照明灯の点灯時に照明灯の光を受けて充電し、照明灯への通電が遮断され又は照明灯が消灯したときに、上記充電した電力によって時限点灯して携帯可能な非常灯又は誘導灯を構成するようにした非常時ＬＥＤ灯であって、少なくとも３本の吊り具の係止手段を照明灯の傘に着脱可能に係止することによって、照明灯の傘に着脱可能に吊り下げられる携帯可能なベースと、該ベースに照明灯ランプ管に対面するように設けられ、ランプ管の光を受光して発電するソーラパネルと、上記ベースに設けられ、充電された上記充電池又はコンデンサを電源として点灯するＬＥＤと、上記ベースに内蔵され、上記ソーラパネルの起電力を電源として充電池又はコンデンサを充電する一方、電源から照明灯への通電が遮断され又は照明灯が消灯したときに上記ＬＥＤを充電池又はコンデンサの放電定数によって決まる時間だけ時限点灯させる通電回路と、を備えたことを特徴とする。
【図面の簡単な説明】
【００１７】
【図１】本発明に係る非常時ＬＥＤ灯の実施形態を示す概略斜視図である。
【図２】上記実施形態を示す底面図である。
【図３】上記実施形態の蛍光灯ランプ管への取付け状態を示す概略斜視図である。
【図４】上記実施形態における回路構成例を示す図である。
【図５】第２の実施形態を示す概略斜視図である。
【図６】第３の実施形態を示す概略斜視図である。
【図７】第３の実施形態における回路構成例を示す図である。
【図８】第４の実施形態を示す要部斜視図である。
【図９】上記実施形態を示す分解斜視図である。
【図１０】第５の実施形態を示す要部斜視図である。
【図１１】上記実施形態を示す要部側面図である。
【図１２】第６の実施形態を示す概略斜視図である。
【図１３】上記実施形態の蛍光灯リフレクタへの取付け状態を示す概略図である。
【図１４】第７の実施形態を示す概略斜視図である。
【図１５】上記実施形態の蛍光灯前面カバーへの取付け状態を示す概略図である。
【図１６】第８の実施形態における回路構成例を示す図である。
【図１７】第９の実施形態を示す構成図である。
【図１８】上記実施形態の変形例を示す図である。
【発明を実施するための形態】
【００１８】
以下、本発明を図面に示す具体例に基づいて詳細に説明する。図１ないし図４は本発明に係る非常時ＬＥＤ灯の第１の実施形態を示す。非常時ＬＥＤ灯１０では円筒状のベース１１の側壁面に半筒状の取付け部１１Ａが１８０°の角度間隔をあけて形成され、取付け部１１Ａには２本のアーム片１２が差し込まれて下端の大径部によって抜け止めされ、アーム片１２は軟質の合成樹脂材料で製作されて可撓性を有し、一方のアーム片１２の先端部には筒状の連結部材１２Ａが固定され、連結部材１２Ａに他方のアーム片１２の先端部分が抜き差し可能に差し込まれて、２本のアーム片１２の先端部分が相互に着脱可能に係合されるようになっている。
【００１９】
また、ベース１１の頂面にはソーラパネル１３が設けられ、ベース１１の底面にはＬＥＤ１４が設けられ、ベース１１内にはソーラパネル１３の起電力を電源としてスーパーキャパシタ２１を充電する一方、電源から照明灯への通電が遮断されたことを検知してＬＥＤ１４をスーパーキャパシタ２１の放電定数によって決まる時間だけ時限点灯させる通電回路２０、及びスーパーキャパシタ２１の充電電圧を基準電圧と比較して充電電圧が基準電圧に達したときに通電回路２０による充電を停止させる充電制御回路２２が内蔵されている。
【００２０】
図４は通電回路２０及び充電制御回路２２の回路構成例を示す。図において、ソーラパネル１３は通電回路２０及びスーパーキャパシタ２１が直列に接続され、通電回路２０及びスーパーキャパシタ２１は相互に並列に接続されている。
【００２１】
通電回路２０ではトランジスタ２０Ｂ、２０Ｃ、２０Ｄ、チョークコイル２０Ｆ、コンデンサ２０Ｄ、２０Ｈ、ショットキーバリアダイオード２０Ｊ、抵抗２０Ｋ、２０Ｌ及びＣｄＳセル２０Ｅによってブロッキング発振回路が構成されており、通電停止や故障などによって照明灯が消灯されたときに発振してＬＥＤ１４をスーパーキャパシタ２１の放電定数によって決まる時間だけ時限点灯させるようになっている。
【００２２】
また、スーパーキャパシタ２１には充電制御回路２２が設けられている。この放電制御回路２２はトランジスタ２２Ａと比較器２２Ｂを有し、ソーラパネル１３の発電電圧を抵抗で降圧した電圧を基準電圧とし、スーパーキャパシタ２１の充電電圧と比較し、充電電圧が基準電圧に達したときにトランジスタ２２ＡをＯＦＦとし、スーパーキャパシタ２１の充電を停止させるようになっている。
【００２３】
次に、動作について説明する。照明灯の点灯中にはソーラパネル１３が受光して電力を発電し、スーパーキャパシタ２１を充電している。スーパーキャパシタ２１の充電電圧が基準電圧に達すると、充電制御回路２２では比較回路２２Ｂの出力が’Ｌ’となり、トランジスタ２２ＡがＯＦＦとなるので、スーパーキャパシタ２１の充電は停止され、これによって過充電は未然に防止される。
【００２４】
他方、通電回路２０ではトランジスタ２３Ｂのベースにはスーパーキャパシタ２１の電圧がＣｄＳセル２０Ｅ及び抵抗２０Ｋの抵抗値によって決まる電圧が印加されるが、照明灯が点灯して明るい状態ではＣｄＳセル２０Ｅの抵抗値は低く、トランジスタ２３Ｂのベースには高電圧が印加されてトランジスタ２３ＢはＯＮとなり、通電回路２０はブロッキング発振を行わず、ＬＥＤ１４は点灯しない。
【００２５】
また、通電の停止や照明器具の故障などによって照明灯が消灯すると、ＣｄＳセル２０Ｅの抵抗値が大きくなり、トランジスタ２３Ｂのベース電圧は低くなり、トランジスタ２３ＢはＯＦＦとなる。すると、トランジスタ２０ＢもＯＦＦとなり、発振回路がブロッキング発振をしてＬＥＤ１４をスーパーキャパシタ２１の放電時定数によって決まる時間の間点灯（時限点灯）させる。
【００２６】
したがって、本例の非常時ＬＥＤ灯１０の２本のアーム片１２を既存の照明器具の照明灯ランプ管５０の下側から挟み込み、アーム片１２の先端部分を係合させると、非常時ＬＥＤ灯１０を照明灯ランプ管５０から吊り下げることができる。
【００２７】
照明灯が点灯中には非常時ＬＥＤ灯１０のソーラパネル１３が照明灯ランプ管５０の光を受けて発電してスーパーキャパシタ２１を充電する一方、照明灯が消灯し、あるいは照明器具が故障すると、非常時ＬＥＤ灯１０のＬＥＤ１４が時限点灯するので、誘導灯として利用することができ、又アーム片１２の係合を外すと、非常時ＬＥＤ灯１０を手に持って一定時間だけ、したがって避難するのに十分な時間だけ点灯する非常灯として利用することもできる。
【００２８】
図５は第２の実施形態を示し、図において図１ないし図３と同一符号は同一又は相当部分を示す。本例では２本のアーム片１２の下端部がベース１１の両側面のブラケットに揺動自在に枢支され、２本のアーム片１２はその基部１２Ｃにおいてコイルばね（図示せず）によって相互に接近する方向に揺動付勢され、アーム片１２の先端部には円弧状の挟持片１２Ｂが設けられ、照明灯ランプ管５０を挟持できるようになっている。このように、アーム片１２で照明灯ランプ管５０を着脱可能に挟持させるようにしてもよい。
【００２９】
図６は第３の実施形態を示し、図において図１ないし図３と同一符号は同一又は相当部分を示す。本例ではベース１１の両側面に抱持部１２’の両端部が金具や接着によって固定されており、照明灯ランプ管５０を照明器具から外して抱持部１２’に通し、照明器具にセットすることによって、本例の非常時ＬＥＤ灯１０’を照明灯ランプ管５０から吊り下げることができる。
【００３０】
図７は第３の実施形態における通電回路２０及び充電制御回路２２の回路構成例を示し、図において図４と同一符号は同一又は相当部分を示す。本例ではＣｄＳセル２０Ｅに代えて高抵抗値の抵抗２０Ｍが設けられており、照明灯の点灯中にはソーラパネル１３が照明を受光して発電してスーパーキャパシタ２１に充電するとともに、通電回路２０がブロッキング発振してＬＥＤ１４を点灯させる一方、照明灯の消灯時にはソーラパネル１３はスーパーキャパシタ２１への充電を停止するが、通電回路２０がブロッキング発振してＬＥＤ１４を、スーパーキャパシタ２１の放電定数によって決まる時間だけ時限点灯させるようになっている。
【００３１】
図８及び図９は第４の実施形態を示し、図において図１ないし図３と同一符号は同一又は相当部分を示す。本例ではベース１１は長楕円筒状に製作され、ベース１１の両側壁面に嵌込み凹部１１Ｂが形成され、嵌込み凹部１１Ｂには金属板製の抱持片１２”の両下端が嵌め込まれて抱持片１２”がベース１１に取付けられるようになっている。
【００３２】
図１０及び図１１は第５の実施形態を示し、図において図８及び図９と同一符号は同一又は相当部分を示す。本例ではベース１１は両端下部が丸くなった矩形ボックス状に製作され、ベース１１の両端両側面に係合ピン（図示せず）が設けられ、係合ピンには金属板製の抱持片１２”の両下端の係止フック１２”Ａが嵌め込まれて抱持片１２”がベース１１に取付けられるようになっている。
【００３３】
図１２及び図１３は第６の実施形態を示し、図において図１ないし図３と同一符号は同一又は相当部分を示す。本例の非常時ＬＥＤ灯１０”ではベース１１’はボックス状をなし、磁石（図示せず）によって照明灯リフレクタ５１に磁着可能に設けられ、ベース１１’の上面にはソーラパネル１３が固定され、又ベース１１’の上面側部にはＬＥＤ灯１４’が取外し可能に装着されている。
【００３４】
本例の非常時ＬＥＤ灯１０”ではソーラパネル１３が照明灯ランプ管５０に対面するように照明灯リフレクタ５１にベース１１’を磁着させる。すると、第３の実施形態と同様に、照明灯の点灯中にはソーラパネル１３が照明を受光して発電してスーパーキャパシタに充電するとともに、通電回路がブロッキング発振してＬＥＤ灯１４’を点灯させる一方、照明灯の消灯時にはソーラパネル１３はスーパーキャパシタへの充電を停止するが、通電回路はブロッキング発振してＬＥＤ灯１４’を、スーパーキャパシタの放電定数によって決まる時間だけ時限点灯させる。
【００３５】
したがって、本例の非常時ＬＥＤ灯１０”では誘導灯として利用することもでき、ＬＥＤ灯１４’をベース１１’から抜き出して、時限点灯する非常灯として利用することもできる。
【００３６】
図１４及び図１５は第７の実施形態を示し、図において図１２ないし図１３と同一符号は同一又は相当部分を示す。本例の非常時ＬＥＤ灯１０”ではベース１１”はホルダー状をなし、ベース１１”の側方にはソーラパネル１３が固定され、又ベース１１”の下面にはＬＥＤ灯１４”が取外し可能に装着されている。
【００３７】
本例の非常時ＬＥＤ灯１０”では照明灯の前面が透明カバー５２で覆われているときに、ソーラパネル１３が照明灯ランプ管５０に対面するように照明灯前面カバー５２にベース１１’を接着又は粘着させる。すると、第６の実施形態と同様に、照明灯の点灯中にはソーラパネル１３が照明を受光して発電してスーパーキャパシタに充電するとともに、通電回路がブロッキング発振してＬＥＤ灯１４”を点灯させる一方、照明灯の消灯時にはソーラパネル１３はスーパーキャパシタへの充電を停止するが、通電回路はブロッキング発振してＬＥＤ灯１４”を、スーパーキャパシタの放電定数によって決まる時間だけ時限点灯させる。
【００３８】
なお、通電回路及び充電制御回路その他の電気系はベース１１’に搭載してもよいが、上述のようにＬＥＤ灯１４’をベース１１’から引き抜いて使用する場合には通電回路及び充電制御回路その他の電気系はＬＥＤ灯１４’に内蔵する必要がある。
【００３９】
図１６は第８の実施形態を示し、図において図４と同一符号は同一又は相当部分を示す。本例ではソーラパネル１３は通電回路２０及びスーパーキャパシタ２１が直列に接続され、通電回路２０及びスーパーキャパシタ２１は相互に並列に接続されている。
【００４０】
通電回路２０はトランジスタ２０Ｎ、抵抗２０Ｌ及びＣｄＳセル２０Ｍによって構成され、通電停止や故障などによって照明灯が消灯されたときにＬＥＤ１４をスーパーキャパシタ２１の放電定数によって決まる時間だけ時限点灯させるようになっている。
【００４１】
次に、動作について説明する。照明灯の点灯中にはソーラパネル１３が受光して電力を発電し、スーパーキャパシタ２１を充電している。他方、通電回路２０ではトランジスタ２３Ｎのベースにはスーパーキャパシタ２１の電圧がＣｄＳセル２０Ｍ及び抵抗２０Ｌの抵抗値によって決まる電圧が印加されるが、照明灯が点灯して明るい状態ではＣｄＳセル２０Ｍの抵抗値は低く、トランジスタ２３Ｎのベースには低電圧が印加されてトランジスタ２３ＮはＯＦＦとなっており、ＬＥＤ１４は点灯しない。
【００４２】
また、通電の停止や照明器具の故障などによって照明灯が消灯すると、ＣｄＳセル２０Ｍの抵抗値が大きくなり、トランジスタ２３Ｎのベース電圧は高くなり、トランジスタ２３ＮはＯＮとなる。すると、ＬＥＤ１４はスーパーキャパシタ２１の放電時定数によって決まる時間の間点灯（時限点灯）する。
【００４３】
図１７は第９の実施形態を示す。図において、水銀灯（高電圧放電灯）６０は傘６１内水銀灯ランプ管６２を内蔵して構成され、傘６１の下端６１Ａには３つのクリップ（係止手段）７１が等しい角度間隔をあけて着脱可能に係止され、クリップ７１はワイヤー（吊り具）７０の先端に取付けられ、ワイヤー７０は非常時ＬＥＤ灯１０のベースに固定されており、こうして非常時ＬＥＤ灯１０は水銀灯ランプ管６２から４０°Ｃ〜５０°Ｃの温度領域に吊り下げられている。
【００４４】
水銀灯６０の点灯時には水銀灯６０の光を受けたソーラパネルの起電力を電源として充電池又はコンデンサを充電する。他方、商用電源から水銀灯６０への通電が遮断され又は水銀灯６０が消灯したときに、ＬＥＤを充電池又はコンデンサの放電定数によって決まる時間だけ時限点灯させるようになっている。なお、非常時ＬＥＤ灯１０の構造はアーム片１２や抱持片１２’、１２''を除き第１ないし第６の実施形態と実質的に同一であるので、その詳細な説明は省略する。
【００４５】
図１８は第９の実施形態の変形例を示す。図において図１７と同一符号は同一又は相当部分を示す。本例では水銀灯型のＬＥＤ灯８０の下端８１Ａに非常時ＬＥＤ灯１０を少なくとも３つのクリップ７１はワイヤー７０とによって吊り下げ、ＬＥＤ灯８０の点灯時にはＬＥＤ８２の光を受けたソーラパネルの起電力を電源として充電池又はコンデンサを充電する。他方、商用電源からＬＥＤ灯８０への通電が遮断され又はＬＥＤ灯８０が消灯したときに、ＬＥＤを充電池又はコンデンサの放電定数によって決まる時間だけ時限点灯させるようになっている。
【符号の説明】
【００４６】
１０、１０’、１０”      非常時ＬＥＤ灯
１１、１１’、１１”      ベース
１２      アーム片（アーム部）
１２’、１２”      抱持片（抱持部）
１３      ソーラパネル
１４      ＬＥＤ
１４’：１４”    ＬＥＤ灯
２０    通電回路
２１    スーパーキャパシタ
２２    ＣｄＳセル
５０    照明灯ランプ管
５１    照明灯リフレクタ
６０    水銀灯（高輝度放電灯）
６１    傘
６２    水銀灯ランプ管
７０    ワイヤー（吊り具）
７１    クリップ（係止手段）
８０    水銀灯型ＬＥＤ灯
８１    傘
８２    ＬＥＤ
【図１】
2015232992.tif 000003
【図２】
2015232992.tif 000004
【図３】
2015232992.tif 000005
【図４】
2015232992.tif 000006
【図５】
2015232992.tif 000007
【図６】
2015232992.tif 000008
【図７】
2015232992.tif 000009
【図８】
2015232992.tif 000010
【図９】
2015232992.tif 000011
【図１０】
2015232992.tif 000012
【図１１】
2015232992.tif 000013
【図１２】
2015232992.tif 000014
【図１３】
2015232992.tif 000015
【図１４】
2015232992.tif 000016
【図１５】
2015232992.tif 000017
【図１６】
2015232992.tif 000018
【図１７】
2015232992.tif 000019
【図１８】
2015232992.tif 000020